(57)【特許請求の範囲】
【請求項１】
自己のアドレスを含む調光制御信号が伝送されたとき、その調光制御信号に基づき調光レベルを可変するように構成された複数の照明装置の特定の照明装置の照明エリアの明暗度を検出する光センサと；
前記特定の照明装置に付与された固有アドレスを記憶する記憶部と；
少なくとも当該照明装置に付与された固有アドレスをワイヤレス送信するように構成されたワイヤレス送信部と；
前記照明エリアの目標照度を予め設定する目標照度設定手段と；
光センサにより検出された明暗度が目標照度設定手段により予め設定された目標照度に略一致するように調光制御信号を演算生成し、この調光制御信号を固有アドレスとともにワイヤレス送信部からワイヤレス送信させるように構成された制御部と；
を具備していることを特徴とする照度センサ。
【請求項２】
少なくとも光センサにより検出された明暗度、目標照度設定手段により設定された目標照度および照明装置に付与された固有アドレスを表示する表示部が設けられていることを特徴とする請求項１記載の照度センサ。
【請求項３】
自己のアドレスを含む調光制御信号が伝送されたとき、その調光制御信号に基づき調光レベルを可変するように構成された照明装置と；
特定の照明装置の照明エリアの明暗度を検出する光センサ、前記特定の照明装置に付与された固有アドレスを記憶する記憶部、およびこの光センサにより検出された明暗度を少なくとも当該照明装置に付与された固有アドレスとともにワイヤレス送信するように構成されたワイヤレス送信部を有する照度センサ装置と；
前記照明エリアの目標照度を予め設定する目標照度設定手段と、照度センサ装置からワイヤレス送信された明暗度が目標照度設定手段により予め設定された目標照度に略一致するように特定の照明装置の調光制御信号を演算生成する制御部と、制御部により演算生成された調光制御信号を固有アドレスとともに特定の照明装置に伝送する伝送部とを有する照明制御装置と；
を具備していることを特徴とする照明制御システム。
【発明の詳細な説明】
【０００１】
【発明の属する技術分野】
本発明は、特定の照明装置により照明される照明エリアを目標照度に制御する照度センサおよび照明制御システムに関する。
【０００２】
【従来の技術】
照度センサを用いて机上面や床面などの被照射面の照度を一定に制御することが行われている。従来、照度センサは、物理上の問題から天井面に設置され、床面や壁面などの反射光を検出して被照射面の照度に相関させている。図６は、その一例であり、特開平１１−２１４１７９号公報（従来技術）に開示された照明制御システム５０である。
【０００３】
図６に示す照明制御システム５０は、太陽５１などからの外光および照明器具５２からの照明光のうち、床面５３および壁面５４で反射した反射光を光センサ５５が検出し、反射光に応じてコントローラ５６が照明器具５２の光出力を可変して床面５３の照度を目標照度にさせる。
【０００４】
【発明が解決しようとする課題】
従来技術は、広範囲の反射光を検出するので、机上面や作業面などの所定エリアの照度が反射光と相関しにくく、所定エリアは、実際の照度と目標照度が異なり、目標照度に一定制御されないという欠点を有する。
【０００５】
本発明は、所定エリアを作業に最適な目標照度に一定制御する照度センサおよび照明制御システムを提供することを目的とする。
【０００６】
【課題を解決するための手段】
請求項１に記載の照度センサの発明は、自己のアドレスを含む調光制御信号が伝送されたとき、その調光制御信号に基づき調光レベルを可変するように構成された複数の照明装置の特定の照明装置の照明エリアの明暗度を検出する光センサと；前記特定の照明装置に付与された固有アドレスを記憶する記憶部と；少なくとも当該照明装置に付与された固有アドレスをワイヤレス送信するように構成されたワイヤレス送信部と；前記照明エリアの目標照度を予め設定する目標照度設定手段と；光センサにより検出された明暗度が目標照度設定手段により予め設定された目標照度に略一致するように調光制御信号を演算生成し、この調光制御信号を固有アドレスとともにワイヤレス送信部からワイヤレス送信させるように構成された制御部と；を具備していることを特徴とする。
【０００７】
「特定の照明装置」とは、複数の照明装置のうち、光センサにより明暗度が検出される照明エリアを照明している照明装置をいう。
【０００８】
光センサにより検出された明暗度は、照度の割合を示し、実際の照度と相関している。そして、照度センサは、実際に作業を行う机上面や作業面あるいはその近くに配置され、間接的に実際の照度を検出する。
【０００９】
調光制御信号は、ワイヤレス送信部から自動的にワイヤレス送信されるようにしてもよく、手動操作によりワイヤレス送信されるようにしてもよい。そして、調光制御信号がワイヤレス送信部から自動的にワイヤレス送信されるようにすると、特定の照明装置の照明エリアの照度は、常に目標照度に一定制御される。
【００１０】
本発明によれば、光センサにより特定の照明装置の照明エリアの明暗度が検出され、制御部により光センサにより検出された明暗度が目標照度に略一致するように調光制御信号が演算生成され、この調光制御信号は、特定の照明装置の固有アドレスとともにワイヤレス送信部からワイヤレス送信される。そして、調光制御信号は、特定の照明装置に伝送され、照明装置は、調光制御信号に基づき調光レベルを可変させる。これにより、特定の照明装置の照明エリアは目標照度で照明される。
【００１１】
請求項２に記載の照度センサの発明は、請求項１記載の照度センサにおいて、少なくとも光センサにより検出された明暗度、目標照度設定手段により設定された目標照度および照明装置に付与された固有アドレスを表示する表示部が設けられていることを特徴とする。
【００１２】
本発明によれば、光センサにより検出された明暗度、目標照度設定手段により設定された目標照度および照明装置に付与された固有アドレスなどを表示部で確認することができる。
【００１３】
請求項３に記載の照明制御システムの発明は、自己のアドレスを含む調光制御信号が伝送されたとき、その調光制御信号に基づき調光レベルを可変するように構成された照明装置と；特定の照明装置の照明エリアの明暗度を検出する光センサ、前記特定の照明装置に付与された固有アドレスを記憶する記憶部、およびこの光センサにより検出された明暗度を少なくとも当該照明装置に付与された固有アドレスとともにワイヤレス送信するように構成されたワイヤレス送信部を有する照度センサ装置と；前記照明エリアの目標照度を予め設定する目標照度設定手段と、照度センサ装置からワイヤレス送信された明暗度が目標照度設定手段により予め設定された目標照度に略一致するように特定の照明装置の調光制御信号を演算生成する制御部と、制御部により演算生成された調光制御信号を固有アドレスとともに特定の照明装置に伝送する伝送部とを有する照明制御装置と；を具備していることを特徴とする。
【００１４】
本発明によれば、照度センサ装置から特定の照明装置の照明エリアの明暗度がワイヤレス送信され、照明制御装置により、ワイヤレス送信された明暗度が目標照度に略一致するように調光制御信号が演算生成されて特定の照明装置に伝送され、特定の照明装置は、調光制御信号に基づき調光レベルを可変させる。これにより、特定の照明装置の照明エリアは目標照度で照明される。
【００１５】
【発明の実施の形態】
以下、本発明の一実施の形態について、図面を参照して説明する。
【００１６】
まず、本発明の第１の実施形態について説明する。
【００１７】
図１〜図４は、本発明の第１の実施形態を示し、図１は照明制御システムの構成図、図２は照度センサのブロック図、図３は照度センサの外観図、図４は照度センサの操作のフロー図である。
【００１８】
図１において、照明制御システム１は、照度センサ２、照明制御装置３および照明装置４を有して構成されている。
【００１９】
照度センサ２は、床面５に配置された机６の上面に置かれている置物７上の所定の位置に置かれている。そして、机６は、特定の照明装置４ａの照明エリア内に配置されている。そして、照度センサ２は、図２に示すように、光センサ８、ワイヤレス送信部９、記憶部１０、表示部１１、操作部１２、制御部１３および電池１４を有して構成されている。
【００２０】
光センサ８は、図３に示すように、薄形の箱体１５の表面に受光素子１６が設けられ、照明装置４の照明エリアの明暗度を検出し、制御部１３に送出する。そして、照度センサ２は、複数の照明装置４のうち、特定の照明装置４ａの照明エリア内に配置され、光センサ８が特定の照明装置４ａに対向するので、主として特定の照明装置４ａからの直接光を検出している。したがって、光センサ８により検出された明暗度は、特定の照明装置４ａにより照明された照明エリア内の実際の照度と相関される。
【００２１】
ワイヤレス送信部９は、図３に示すように、箱体１５の表面に発光素子１７が設けられ、光センサ８により検出された明暗度と、この明暗度を検出した照明エリアを照明している照明装置４に付与された固有アドレスをワイヤレス送信可能に構成されている。
【００２２】
記憶部１０は、箱体１５の内部に設けられた不揮発性の記憶部であり、光センサ８により検出された明暗度、目標照度や照明装置４に付与された固有アドレスなどが記憶される。そして、表示部１１は、箱体１５の表面に設けられ、光センサ８により検出された明暗度または照度、目標照度および照明装置４に付与された固有アドレスなどを表示する。
【００２３】
操作部１２は、図３に示すように、箱体１５の表面に設けられた電源（ＯＮ／ＯＦＦ）スイッチ１８、モード（ＭＯＯＤ）切り換えスイッチ１９、記憶（ＭＥＭＯＲＹ）スイッチ２０、アップ（ＵＰ）スイッチ２１、ダウン（ＤＯＷＮ）スイッチ２２および停止（ＳＴＯＰ）スイッチ２３により構成されている。
【００２４】
電源スイッチ１８をオンにすると、光センサ８、ワイヤレス送信部９、表示部１１および制御部１３などは、電池１４から給電されて動作する。モード切り換えスイッチ１９は、表示部１１に表示される目標照度、明暗度、固有アドレスなどを設定するものであり、プッシュする毎に順次切り換わる。記憶スイッチ２０は、プッシュすると、目標照度など、表示部１１に表示された設定値を記憶部１０に記憶させる。
【００２５】
そして、アップスイッチ２１をオンすると、表示部１１に表示された目標照度などの設定値が増加し、ダウンスイッチ２２をオンすると、逆に設定値が減少する。そして、停止スイッチ２３をプッシュすると、アップスイッチ２１およびダウンスイッチ２２は、オフし、このとき、表示部１１に表示された設定値が設定される。
【００２６】
そして、アップスイッチ２１、ダウンスイッチ２２、停止スイッチ２３および記憶スイッチ２０を用いて、照明装置４の照明エリアの目標照度を表示部１１に表示させ、記憶部１０に記憶させることができる。すなわち、照明装置４の照明エリアの目標照度を予め設定することができる。こうして、記憶部１０、表示部１１および操作部１２は、目標照度設定手段を形成している。
【００２７】
そして、制御部１３は、ＣＰＵおよびプログラムが格納されたＲＯＭなどを備え、光センサ８から特定の照明装置４ａの照明エリアの明暗度が入力されると、この明暗度が目標照度設定手段により予め設定された目標照度に略一致するように調光制御信号を演算生成し、この調光制御信号を特定の照明装置４ａに付与された固有アドレスとともにワイヤレス送信部９から天井面２４に配設された受信器２５にワイヤレス送信させるように構成されている。
【００２８】
電池１４は、箱体１５の内部に設けられたボタン形電池であり、光センサ８、ワイヤレス送信部９、表示部１１および制御部１３などに給電する。
【００２９】
そして、照明制御システム１を構成する照明装置４は、蛍光ランプ２６，２６を装着して内部に蛍光ランプ２６，２６を調光点灯させる図示しない点灯装置を配設している照明器具２７および端末器２８からなっている。そして、複数の照明器具２７が天井面２４に埋設されており、この内、特定の照明器具２７ａにより照度センサ２が載置された机６を照明する照明エリアが形成されている。そして、複数の照明装置４は、それぞれ固有のアドレスが付与されている。
【００３０】
また、天井面２４には、照度センサ２のワイヤレス送信部９からワイヤレス送信されたワイヤレス信号、すなわち調光制御信号および固有アドレスなどを受信して、端末器２８に伝送信号線２８を介して伝送する受信器２５が設けられている。
【００３１】
端末器２８は、受信器２５から伝送された固有アドレスが自己のアドレスであると判断したとき、固有アドレスとともに伝送された調光制御信号を入力する。そして、端末器２８内の記憶部に記憶している調光情報を読み出し、この調光情報から調光制御信号に基づき調光信号例えばＰＷＭ調光信号を生成して点灯装置に送出する。点灯装置は、調光信号に応じて蛍光ランプ２６，２６を調光点灯させる。このように、複数の照明装置４は、自己のアドレスを含む調光制御信号が伝送されたとき、その調光制御信号に基づき調光レベルを可変するように構成されている。
【００３２】
そして、端末器２８には、伝送信号線２８を介して照明制御装置３が接続されている。照明制御装置３は、照度センサ２と同様に、目標照度が設定され、この目標照度に応じた調光制御信号を固有アドレスとともに特定の照明装置４ａに伝送することができる。
【００３３】
次に、本発明の第１の実施形態の作用について述べる。
【００３４】
図４は照度センサ２の操作を説明したフロー図である。照度センサ２は、図３に示した操作部１２の各スイッチ１８〜２３が操作される。
【００３５】
まず、電源スイッチ１８をオンする（ステップＳ１）。これにより、電池１４から光センサ８、ワイヤレス送信部９、表示部１１および制御部１３などが動作する。
【００３６】
そして、モード切り換えスイッチ１９により表示および動作モードが選択される（ステップＳ２）。ＭＯＯＤ１を選択すると、光センサ８により検出された明暗度の表示を調整することができ（ステップＳ３）、ＭＯＯＤ２を選択すると、特定の照明装置４ａのアドレスまたは目標照度を設定することができる（ステップＳ６）。
【００３７】
ステップＳ３では、光センサ８により検出された明暗度と実際の照度との対応付けの有無を判断する。このとき、光センサ８により検出された明暗度と実際の照度とが同じ表示値となるようにしてもよく、明暗度を実際の照度に変換した変換値、例えば電圧値で表示されるようにしてもよい。そして、光センサ８により検出された明暗度と実際の照度との対応付けがされていて、明暗度の表示調整が設定済みのとき、光センサ８により検出された明暗度が表示部１１に表示される（ステップＳ５）。
【００３８】
そして、光センサ８により検出された明暗度と実際の照度との対応付けがされていなく、明暗度の表示調整が未設定のとき、光センサ８により検出された明暗度と実際の照度との対応付けが行われる（ステップＳ４）。すなわち、特定の照明装置４ａの照明エリアにおいて、例えば机６の上に照度センサ２と照度計を併置し、照度計の実際の照度に対して照度センサ２の表示部１１の明暗度をアップスイッチ２１、ダウンスイッチ２２および停止スイッチ２３を用いて対応する設定値に可変させる。そして、記憶スイッチ２０をオンすることにより、光センサ８により検出された明暗度と実際の照度との対応付けがなされる。そして、光センサ８により検出された明暗度と実際の照度との対応付けがされると、表示部１１に明暗度が表示される。
【００３９】
照度センサ２は、薄形であり、照明装置４の照明エリアの所定の位置に載置することができる。したがって、作業を行う作業面、例えば机６の上面やその近くに照度センサ２を載置することにより、実際に作業を行う作業面の照度を確認することができる。
【００４０】
そして、ステップＳ６では、特定の照明装置４ａのアドレス設定および照度センサ２の明暗度が目標照度に設定されていることの確認が行われる。そして、アドレスの未設定および照度センサ２の明暗度が目標照度に未設定であるとき、アドレス設定を行い（ステップＳ７）、目標照度の目標値の設定を行う（ステップＳ８）。
【００４１】
アドレス設定を行うときは、モード切り換えスイッチ１９のプッシュ操作で表示部１１にアドレスを表示させ、アップスイッチ２１、ダウンスイッチ２２および停止スイッチ２３を用いてアドレスの表示値を可変させ、特定の照明装置４ａのアドレスに表示させる。そして、記憶スイッチ２０をオンすることにより、特定の照明装置４ａのアドレスが設定される。
【００４２】
また、目標照度の目標値の設定を行うときは、アドレス設定と同様に、モード切り換えスイッチ１９のプッシュ操作で表示部１１に照度値または明暗度を表示させ、アップスイッチ２１、ダウンスイッチ２２および停止スイッチ２３を用いて照度値または明暗度の目標値を表示させる。そして、記憶スイッチ２０をオンすることにより、特定の照明装置４ａの照明エリアにおける目標照度が設定される。
【００４３】
そして、ステップＳ６で、特定の照明装置４ａのアドレス設定および照度センサ２の明暗度が目標照度に設定されているとき、または、ステップＳ７でアドレス設定が行われ、ステップＳ８で目標照度の目標値の設定が行われると、自動制御または手動制御の選択がなされる（ステップＳ９）。自動制御または手動制御の選択は、モード切り換えスイッチ１９のプッシュ操作で表示部１１に自動制御または手動制御を表示させ、記憶スイッチ２０をオンすることによりなされる。
【００４４】
ステップＳ９で自動制御が選択されていると、制御部１３は、光センサ８により検出された明暗度がステップＳ８で予め設定された目標照度に略一致するように調光制御信号を演算生成し、この調光制御信号をステップＳ７で設定された特定の照明装置４ａの固有アドレスとともにワイヤレス送信部９に送出する。そして、ワイヤレス送信部９は、発光素子１７から調光制御信号および固有アドレスをワイヤレス送信する（ステップＳ１０）。
【００４５】
そして、ステップＳ９で手動制御が選択されていると、表示部１１に光センサにより検出された明暗度または照度を表示させた後、アップスイッチ２１、ダウンスイッチ２２および停止スイッチ２３を用いて特定の照明装置４ａの照明エリアの照度または明暗度を可変させることができる。すなわち、制御部１３は、アップスイッチ２１またはダウンスイッチ２２の操作に応じて、光センサ８により検出された明暗度が増加または減少するように調光制御信号を演算生成し、この調光制御信号を特定の照明装置４ａの固有アドレスとともにワイヤレス送信部９に送出する。そして、ワイヤレス送信部９は、発光素子１７から調光制御信号および固有アドレスをワイヤレス送信する（ステップＳ１０）。
【００４６】
上述したように、照度センサ２を照明装置４によって照明されている作業面、例えば机６の上面に載置することにより、表示部１１に表示された明暗度または照度により、作業面における照度を確認することができる。そして、表示部１１に表示された明暗度または照度に基づき、作業に最適な目標照度を設定して作業面を照明する特定の照明装置４ａにワイヤレス送信させることにより、作業面を目標照度で照明させることができる。
【００４７】
次に、本発明の第２の実施形態について述べる。
【００４８】
図５は、本発明の第２の実施形態を示す照明制御装置のブロック図である。なお、図１〜図３と同一部分には同一符号を付して説明は省略する。
【００４９】
図１に示す照明制御システム１おいて、照明制御装置３は、図５に示すように構成され、照度センサ２は、照度センサ装置３０に構成されている。すなわち、照度センサ装置３０は、図２および図３に示す照度センサ２において、制御部１３が調光制御信号の演算生成機能を有していないものであり、ワイヤレス送信部９が光センサ８により検出された明暗度を特定の照明装置４ａに付与された固有アドレスとともに受信器２５にワイヤレス送信するように構成されている。そして、受信器２５にワイヤレス送信された光センサ８により検出された明暗度および固有アドレスは、伝送信号線２９を介して照明制御装置３に伝送される。
【００５０】
そして、照度センサ装置３０は、照度センサ２と同様、照明装置４の照明エリア内に光センサ８が照明装置４に対向するようにして載置される。なお、照度センサ装置３０は、アドレス設定の機能を有しているか、または特定の照明装置４ａの固有アドレスを有していれば、少なくとも光センサ８、ワイヤレス送信部９および電池１４を有して構成されていればよい。
【００５１】
そして、照明制御装置３は、図５に示すように、不揮発性の記憶部３１、設定操作部３２、外部信号入力部３３、ワイヤレス受信部３４、伝送部３５および制御部３６を有して構成されている。
【００５２】
記憶部３１は、図２に示す照度センサ２の記憶部１０と同様、光センサ８により検出された明暗度、目標照度や照明装置４に付与された固有アドレスなどが記憶されている。
【００５３】
設定操作部３２は、光センサ８により明暗度が検出される特定の照明装置４ａの照明エリアの目標照度を予め設定することができる。すなわち、設定操作部３２は、目標照度設定手段を構成している。
【００５４】
外部信号入力部３３は、例えば壁スイッチのオンオフ制御信号を入力する。このオンオフ制御信号が入力されると、制御部３６は、照明装置４の固有アドレスとともにオンオフ制御信号を伝送部３５から伝送信号線２９を介して該照明装置４に伝送させる。
【００５５】
ワイヤレス受信部３４は、ワイヤレス送信器（リモコン）からのオンオフ制御信号や調光制御信号などの照明制御信号を入力する。この照明制御信号が入力されると、制御部３６は、照明装置４の固有アドレスとともに照明制御信号を伝送部３５から伝送信号線２９を介して該照明装置４に伝送させる。
【００５６】
伝送部３５は、照度センサ装置３０から送信された光センサ８により検出された明暗度および固有アドレスを入力し、制御部３６に伝送する。また、上記オンオフ制御信号および照明制御信号などの他、制御部３６により演算生成された調光制御信号を固有アドレスとともに特定の照明装置４ａに伝送信号線２９を介して伝送するように構成されている。
【００５７】
制御部３６は、照度センサ装置３０からワイヤレス送信された明暗度が設定操作部３２により予め設定された目標照度に略一致するように特定の照明装置４ａの調光制御信号を演算生成し、この調光制御信号を照度センサ装置３０からワイヤレス送信された固有アドレスとともに伝送部３５伝送させるように構成されている。
【００５８】
こうして、照度センサ装置３０および照明制御装置３を具備した照明制御システムが構成されている。
【００５９】
次に、本発明の第２の実施形態の作用について述べる。
【００６０】
複数の照明装置４の特定の照明装置４ａの照明エリアの明暗度は、照度センサ装置３０の光センサ８により検出される。この光センサ８により検出された明暗度は、特定の照明装置４ａの固有アドレスとともに、ワイヤレス送信部９から受信器２５にワイヤレス送信される。
【００６１】
受信器２５は、照度センサ装置３０からワイヤレス送信された光センサ８により検出された明暗度および特定の照明装置４ａの固有アドレスを照明制御装置３の伝送部３５に伝送信号線２９を介して伝送する。そして、光センサ８により検出された明暗度および特定の照明装置４ａの固有アドレスは、伝送部３５から制御部３６に送出される。
【００６２】
そして、制御部３６は、光センサ８により検出された明暗度が設定操作部３２により予め設定された目標照度に略一致するように調光制御信号を演算生成し、この調光制御信号を特定の照明装置４ａの固有アドレスとともに伝送部３５に送出する。
【００６３】
そして、伝送部３５は、制御部３６により演算生成された調光制御信号および特定の照明装置４ａの固有アドレスを伝送信号線２９を介して特定の照明装置４ａに伝送する。
【００６４】
特定の照明装置４ａに伝送された調光制御信号は、端末器２８に入力される。そして、端末器２８は、内部の記憶部に記憶している調光情報を読み出し、この調光情報から調光制御信号に基づき調光信号例えばＰＷＭ調光信号を生成して点灯装置に送出する。点灯装置は、調光信号に応じて蛍光ランプ２６，２６を調光点灯させる。これにより、特定の照明装置４ａの照明エリアにおいて、照度センサ装置３０の光センサ８は目標照度に照明される。
【００６５】
上述したように、照明制御装置３の設定操作部３２で目標照度を設定し、作業を行う作業面に照度センサ装置３０を載置して光センサ８が特定の照明装置４ａの照明エリアの明暗度を検出するようにさせると、照度センサ装置３０から作業面の明暗度が照明制御装置３に伝送され、照明制御装置３により特定の照明装置４ａの調光レベルが可変されて作業面を目標照度で照明することができる。
【００６６】
そして、照度センサ装置３０の電源をオンしていると、照度センサ装置３０より作業面の明暗度が常に照明制御装置３に伝送されるので、作業面の照度を作業に最適な目標照度に一定制御することができる。
【００６７】
また、作業場所を移動したとき、照度センサ装置３０を移動場所に載置させることにより、移動場所を目標照度で照明させることができる。
【００６８】
【発明の効果】
請求項１の発明によれば、照度センサは、特定の照明装置の照明エリアの明暗度を検出し、この明暗度が目標照度に略一致するように調光制御信号を演算生成して、特定の照明装置の固有アドレスとともにワイヤレス送信するように構成されているので、特定の照明装置の照明エリアを作業に最適な目標照度で照明することができる。
【００６９】
請求項２の発明によれば、光センサにより検出された明暗度、目標照度設定手段により設定された目標照度および照明装置に付与された固有アドレスなどを表示部で表示するので、表示内容を確認することができる。
【００７０】
請求項３の発明によれば、照度センサ装置は、特定の照明装置の照明エリアの明暗度を検出してワイヤレス送信し、照明制御装置は、照度センサ装置よりワイヤレス送信された明暗度が目標照度に略一致するように調光制御信号を演算生成して特定の照明装置に伝送させるので、特定の照明装置の照明エリアを作業に最適な目標照度で照明することができる。
【図面の簡単な説明】
【図１】本発明の第１の実施形態を示す照明制御システムの構成図。
【図２】同じく、照度センサのブロック図。
【図３】同じく、照度センサの外観図。
【図４】同じく、照度センサの操作のフロー図。
【図５】本発明の第２の実施形態を示す照明制御装置のブロック図。
【図６】従来技術の照明制御システムの構成図。
【符号の説明】
１………照明制御システム
２………照度センサ
３………照明制御装置
４………照明装置
８………光センサ
９………ワイヤレス送信部
１１……目標照度設定手段を構成する表示部
１２……目標照度設定手段を構成する操作部
１３……制御部
３０……照度センサ装置
３２……目標照度設定手段としての設定操作部
【図１】
0005126564.tif 000002
【図２】
0005126564.tif 000003
【図３】
0005126564.tif 000004
【図４】
0005126564.tif 000005
【図５】
0005126564.tif 000006
【図６】
0005126564.tif 000007